(57)【要約】【課題】遊技場で稼働状態のパチンコ機について、検査に要する時間を大幅に短縮し、営業稼働停止をなくすパチンコ機の検査方法及び検査装置。を提供する。【解決手段】定められた特定の作業者以外は入れないセキュリティ装置１３を設けた検査室１１を有す自動車と、検査室に設置したパチンコ機の検査装置２０とを有し、パチンコ機１を自動車の検査室１１内で検査することを特徴とする。検査装置は水平方向に回転可能な検査台を有し、検査台にパチンコ機の上面と下面を係止するとともに、検査台の水平度を調整する水平調整装置を有し、自動車の検査室内に設置される。検査装置の水平調整装置は、パチンコ機を載置する検査台の水平度が所定の水平度を満足していない場合にブザーが鳴り、所定の水平度が満足している場合はブザーが鳴らないように設けられている。【選択図】    図１
2004275239.tif 000002
【特許請求の範囲】
【請求項１】
定められた特定の作業者以外は入れないセキュリティ装置を設けた検査室を有す自動車と、該検査室に設置したパチンコ機の検査装置とを有し、保守、部品交換並びに検査すべきパチンコ機を該パチンコ機の設置遊技場近傍に駐車し、該駐車した前記自動車の検査室内で前記パチンコ機の保守、部品交換並びに検査を行うことを特徴とするパチンコ機の保守検査方法。
【請求項２】
前記検査装置は、パチンコ機を水平方向に回転可能な検査台を有し、該検査台に検査すべきパチンコ機を載置してパチンコ機の上面と下面を係止するとともに、前記検査台の水平度を調整する水平調整装置を有し、前記自動車の検査室内に設置されることを特徴とする請求項１記載のパチンコ機の保守検査方法。
【請求項３】
前記検査装置の水平調整装置は、パチンコ機を載置する検査台の水平度が所定の水平度を満足していない場合にブザーが鳴り、所定の水平度が満足している場合はブザーが鳴らないように設けられていることを特徴とする請求項１乃至２記載のパチンコ機の保守検査方法。
【請求項４】
前記検査装置の水平調整装置は、パチンコ機を載置する検査台の水平度を測定するための水準器と、検査台若しくは検査装置の水平度を調整する複数の高さ調整機とからなることを特徴とする請求項１乃至３記載のパチンコ機の保守検査装置。
【発明の詳細な説明】
【０００１】
【発明の属する技術分野】
本発明はパチンコ機の保守部品交換並びに検査方法に関するものである。
【０００２】
【従来の技術】
従来、パチンコ機の保守部品交換並びに検査方法において、工場の製造ラインで製造された全てのパチンコ機に関して、工場から出荷前に、発射装置の動作、遊技球の落下、制御部の動作、入賞払出し賞球数の動作、液晶表示動作、等の検査が行われる。
上記工場から出荷後、パチンコ遊技場ホールにて所定の期間遊技に使用されたパチンコ機について、パチンコ機を構成するパネルや役物等の部品交換が必要になる場合がある。この場合、ホールに設置状態で行える簡単な保守、部品交換、並びに検査作業もあるが、通常は遊技場ホールの休日等を見計って遊技場ホールから工場まで搬送され、工場にて上記のパチンコ機の保守、部品交換並びに検査が行われ、確認された後、パチンコ機遊技場に搬送され、遊技場ホールにて使用できる状態に超特急作業にて保守、検査作業が行われる。この後、遊技場ホールにて所轄の公安委員会の検査を経て、再度遊技に使用される。
【０００３】
【特許文献１】
特開２００１−２８６６５４号公報
【０００４】
【発明が解決しようとする課題】
上記従来の保守、部品交換並びに検査方法において、遊技場ホールから工場へ搬送中は使用できず稼働停止となるため、遊技場ホールの休日等の短い時間の合間を縫って行われている。このため遊技場ホールに設置されているパチンコ機を外して工場へ運搬する時間、工場で保守、部品交換並びに検査する時間、そしてまた遊技場ホールに運搬する時間、公安委員会の検査を受ける時間など多くの時間を費やし、遊技場ホール側にとってもパチンコ機の稼働使用が出来ず、保守メンテナンス側にとって超特急作業となったり、運搬に多くの経費を費やし、営業的にも保守メンテナンス的にも大きな課題があった。
本発明は上記の課題を解消し、保守メンテナンスに要する時間を大幅に短縮して、パチンコ機の営業停止を最小限にし、無駄な経費をなくすことを目的とするパチンコ機の保守部品交換並びに検査を行うことが出来るパチンコ機の保守検査方法である。
【０００５】
【課題を解決するための手段】
本発明の要旨は、定められた特定の作業者以外は入れないセキュリティ装置を設けた検査室を有す自動車と、該検査室に設置したパチンコ機の検査装置とを有し、保守、部品交換並びに検査すべきパチンコ機を該パチンコ機の設置遊技場近傍に駐車し、該駐車した前記自動車の検査室内で前記パチンコ機の保守、部品交換並びに検査を行うことを特徴とするパチンコ機の保守検査方法である。
本発明の検査方法によれば、遊技場ホールの駐車場にこの検査室付き自動車を駐車させて、自動車内に設置された検査室でパチンコ機を検査することができるので、検査時期が到来したパチンコ機や保守並びに部品交換すべき時期が来たパチンコ機について、前記自動車の検査室内で検査することが出来る。従って従来の運搬時間がないので、例えば工場が遠隔地な場合などでは検査時間が大幅に短縮され、メンテナンス終了後は直ちに遊技場ホールのパチンコ島に設置できて公安委員会の検査を受けることが出来る。このためメンテナンス作業が大幅に簡略化され、パチンコ機の営業停止が最小限に節減され、無駄なメンテナンス経費をなくすことができる。またこの際、自動車の検査室内は予め定められた検査作業員しか入れないセキュリティー装置を設けてあるので、不正の問題や誤ったメンテナンス作業検査の問題が生じない。
【０００６】
本発明の請求項２の発明は、前記検査装置は、装置内にパチンコ機を水平方向に回転可能な検査台を有し、該検査台に検査すべきパチンコ機を載置してパチンコ機の上面と下面を係止するとともに、前記検査台の水平度を調整する水平調整装置を有し、前記自動車の検査室内に設置されることを特徴とするパチンコ機の保守検査方法である。
検査装置を設置した自動車がパチンコ機遊技場の近傍に駐車する場合、駐車場の路面状況で自動車が傾いて駐車される場合があっても、自動車の検査室内の検査装置は水平調整装置によって検査台が水平の状態に維持される。また検査台にパチンコ機を載置して水平回転させ、パチンコ機の前面、側面、裏面に亘って取り扱い出来るので、工場での作業と同じ状態で保守、部品交換並びに検査作業が行える。
【０００７】
本発明の請求項３の発明は、前記検査装置の水平調整装置は、パチンコ機を載置する検査台の水平度が所定の水平度を満足していない場合にブザーが鳴り、所定の水平度が満足している場合はブザーが鳴らないように設けられていることを特徴とするパチンコ機の保守検査方法である。
本発明は上記の構成であるから、パチンコ機の保守、部品交換並びに検査作業は、常に水平な検査台上で作業が行え、正確な保守メンテナンス作業と検査が行える。このため検査ミスを防止できる。また検査台の水平度が調整されてないとブザーが鳴るので水平調整作業を忘れることがない。
【０００８】
本発明の請求項４の発明は、前記検査装置の水平調整装置は、パチンコ機を載置する検査台の水平度を測定するための水準器と、検査台若しくは検査装置の水平度を調整する複数の高さ調整機とからなることを特徴とするパチンコ機の保守検査方法である。
パチンコ機を載置する検査台に水平度を測定する水準器を備えており、検査台若しくは検査装置の水平度を調整する高さ調整機を検査装置に備えているので、検査台の水平度を正確に調整出来る。
【０００９】
【発明の実施の形態】
以下、本発明の実施の形態を図面に基づいて説明する。
図１は本発明の一実施例を示すパチンコ機の検査装置で、図２は検査自動車の検査室に上記検査装置を載置した正面図を示す。
【００１０】
保守検査用自動車１０には、通常の自車固定装置、即ち自車から油圧ジャッキ等が地面に伸び、自車の車輪を持ち上げて自車スプリングや自車輪を介さずに自車を固定する装置で、例えば自車の荷台から地面に向けて固定するジャッキ機構を設けた固定装置（図示省略）が設けられている。この固定装置は特装車等に設けられる大型のものから、簡単なパンク修理用小型のジャッキまで用いることができ、自車荷台を地面に安定して固定するものであればよい。
自動車内でのパチンコ機１の保守検査作業は、この自車固定装置を用いて地面に安定して固定し、自車輪や自車スプリングの影響をなくした状態でパチンコ機１の保守検査作業が行われる。
この自動車１０の後部には、パチンコ機の保守検査室１１を備え、入退口１２にはセキュリティー装置１３が備えられている。セキュリティー装置１３は予め定められた検査作業員のみしか出入りできないシステムで、指紋や暗証番号、暗証カード、虹彩画像などで人物を識別認識して、予め登録された人物以外は、この保守検査室１１内へ入退出が出来ないシステムとなっている。
【００１１】
保守検査室１１には検査装置２０が設置されている。検査室１１内の検査装置２０の台数は検査項目或いは検査員作業者人数などに応じて１台から複数台設置される。
検査装置２０は、パチンコ機１の検査台２１としての機能と、検査台２１に設置したパチンコ機１を水平に維持する機能とを兼ね合わせており、検査台２１には検査台の前後、左右の水平度を測定する水準器及びブザーを有す水平調整装置２３を設けてある。
保守検査するパチンコ機１を検査装置２０の検査台２１に載置し、検査台２１の水平度に異常がある場合は水平調整装置２３のブザーが鳴る。ブザーが鳴る場合は、検査装置２０を支持する脚にそれぞれ設けた高さ調整器（油圧ジャッキ）２２を調節して検査台２１の水平度を前後左右とも正しく調整する。２５はパチンコ機１への給電装置で、２６はパチンコ機１への遊技球補球装置である。
【００１２】
ブザーが鳴らなければ水平度は正常であり、異常がないので通常のパチンコ機の検査、保守が行われる。
また、検査台２１はスラストベアリングにより回転自在の回転台２４に装着され、水平状態で回転自在に形成されている。高さ調整機２２は図示のように油圧式の昇降ジャッキで調整してもよく、またねじ式の昇降ジャッキであってもよい。高さ調整機２２検査装置２０を支持する脚にそれぞれ設けたが、検査台２１を装着する回転台２４の下部に設けてもよい。
また検査台２１に設ける水平調整装置２３は、検査台の前後左右の水平度を測定するように２個の水準器が設けられており、また水準器に設けたセンサーが水平を感知するとスイッチが働いて、例えばそれまで鳴っていたブザー音が停止し、水平になったことを報知するようになっている。
【００１３】
ここでパチンコ機１の検査について説明する。検査装置２０を積んだ検査室１１付きの自動車１０は、パチンコ遊技場ホールの駐車場に駐車し、前記自車から延びる４個所のジャッキ式固定装置で検査室付き自動車１０が地面に固定される。次いで検査装置２０の検査台２１の水平度が水平調整装置２３によりチェックされ調整される。検査台２１の水平度は例えば検査装置２０の脚にそれぞれ設けた４個の高さ調節器２２によって行われ、実施例では油圧ジャッキを２２調節して、検査台２１上の水平度が水平調整装置２３の水準器によりチェックされる。
【００１４】
検査室１１はセキュリティー機能が働いており、セキュリティ装置１３に登録されている検査作業者以外の人は入れず、登録された正規の検査作業者によってのみ保守、部品交換並びに検査作業が行われる。このセキュリティー機能は、予め決められた検査員を指紋や認証カードで登録しておき、登録された特定の検査員以外の人は入室キーが開かないシステムになっている。
検査台２１は、保守、部品交換並びに検査作業を行う検査台としての機能を備えており、検査台２１上にパチンコ機１を載置し固定した状態で検査台２１を回転手でさせることでパチンコ機が３６０度回転し、パチンコ機１の側面部及び背面部等、各部が容易に保守検査出来る。
【００１５】
通常、パチンコ機１の主要部分の検査は、発射装置、スピーカ、遊技球の循環、ランプの点灯、制御部の動作、賞球払出し数等で、その他部品の交換やメンテナンス状況によって、パチンコ機１の前面だけでなく、側面部及び背面部の配線や機構扉の開閉など検査が行われ、特に基板の封印状態について厳しくチェック確認が行われる。
【００１６】
【発明の効果】
以上説明のように本発明のパチンコ機の検査方法及び検査装置は、パチンコ機遊技場から工場まで検査すべきパチンコ機を運搬せずともよく、遊技場ホールの駐車場に駐車して、自動車内でパチンコ機の検査が行える。この際自動車の検査室には登録された特定の人しか入室できないセキュリティー装置を設けてあり、限られた検査員以外の人が入ることがなく、検査員以外の人が入るこによって生じる問題が生じない。検査台は自動車の検査室上で、検査装置の検査台の水平度が出るように水平度調整がされ、パチンコ機を載置して水平度が出てなければブザーが鳴る。従って調整忘れがなく、水平維持状態で検査される。従って工場内で検査するのと同じ条件で検査が行え、運搬の無駄がなくなり、遊技ホールでの無稼働時間が解消され、能率が大幅に向上するものである。
【図面の簡単な説明】
【図１】本発明の第１実施例を示すパチンコ機検査装置２０を示す。
【図２】本発明の第１実施例を示すパチンコ機検査装置のサービスカーである。
【符号の説明】
１  パチンコ機
１０  保守検査用自動車
１１  パチンコ機保守検査室
１２  検査室の入出口
１３  セキュリティー装置
２０  検査装置
２１  検査台
２２  高さ調整器
２３  水平調整器
２４  回転台
【図１】
2004275239.tif 000003
【図２】
2004275239.tif 000004